(57)【特許請求の範囲】
【請求項１】
作動流体流通路を有してその開口端に弁座が形成された弁座部材を含む本体部材と、その弁座を開閉する方向に移動可能となるように設けられた弁体と、この弁体の後方に設けられ、前記弁座側に向かって開口するばね収容室を有するばね収容部材と、このばね収容部材のばね収容室内に圧縮変形状態で収容され、その弾発力によって前記弁体を前記閉位置側に押付ける圧縮コイルばねとを備え、前記作動流体の圧力が一定以上のときにその圧力によって前記弁体が前記圧縮コイルばねの弾発力に抗して開くように構成されたばね平衡式弁において、前記弁座部材を含む前記本体部材に前記ばね収容部材が固定され、このばね収容部材における前記ばね収容室内の少なくとも開口側部分に、ばね保持部材が配置され、前記ばね保持部材は、前記ばね収容部材を構成する材料及び圧縮コイルばねを構成する材料よりも弾性係数の低い材料からなり、前記圧縮コイルばねの外周面にその径方向外側から密着することにより当該圧縮コイルばねの前記弁座に対する径方向の移動を規制することを特徴とするばね平衡式弁。
【請求項２】
請求項１記載のばね平衡式弁において、前記ばね収容部材は、前記圧縮コイルばねの外径と同等またはこれよりも小さい内径を有する筒状保持部を有し、この筒状保持部が前記ばね収容室内の少なくとも開口側部分に設けられていることを特徴とするばね平衡式弁。
【請求項３】
請求項１または２記載のばね平衡式弁において、前記ばね収容部材が金属材料で構成され、前記ばね保持部材が合成樹脂材料で構成されていることを特徴とするばね平衡式弁。
【請求項４】
請求項１〜３のいずれかに記載のばね平衡式弁において、前記ばね保持部材は前記ばね収容室の開口側部分にのみ設けられていることを特徴とするばね平衡式弁。
【請求項５】
請求項４記載のばね平衡式弁において、前記ばね保持部材に前記ばね収容部材の開口側端面に対して前記弁座側から当接する当接部が形成されていることを特徴とするばね平衡式弁。
【請求項６】
請求項１〜５のいずれかに記載のばね平衡式弁において、当該ばね平衡式弁はバランスピストン型リリーフ弁であり、前記弁体は前記作動流体の一次側圧力によって開弁するパイロット用弁体であることを特徴とするばね平衡式弁。
【発明の詳細な説明】
【０００１】
【発明の属する技術分野】
本発明は、油圧回路用リリーフ弁等に好適なばね平衡式弁に関するものである。
【０００２】
【従来の技術】
一般に、バランスピストン型リリーフ弁をはじめとするばね平衡式弁においては、圧縮コイルばねの弾発力によって弁体（リリーフ弁では例えばパイロット用弁体）が弁座に押付けられることにより閉弁状態が保たれ、導入される作動流体の圧力が一定以上のときに当該圧力によって前記弁体が前記圧縮コイルばねの弾発力に抗して弁座から開く（すなわち開弁する）ように構成されている。ここで、前記圧縮コイルばねは、例えば前記弁座側に開口するばね収容室内に収容され、この圧縮コイルばねと前記弁座との間に前記弁体が介在するように各部材が配置されている。
【０００３】
【発明が解決しようとする課題】
前記のようなばね平衡式弁においては、前記弁体が弁座から離れた開弁時に当該弁体の保持状態が不安定となるため、この弁体が作動流体の圧力を受けて径方向（軸方向に直交する方向）に揺れるようにして振動しやすく、当該振動に起因して異音が発生するという不都合がある。
【０００４】
なお、特開平１１−１５９６４８号公報には、前記弁座が形成された弁孔内にパイロット用弁体と対向するピストンが軸方向に移動可能に装填されるとともに、一次圧が一定以上のときにその圧力によって前記ピストンが弁体を圧縮コイルばねの弾発力に抗して開弁側に押し戻すように構成されたバランスピストン型リリーフ弁において、その開弁時にピストンと弁体との接触箇所を支点として当該弁体が揺動するのを防ぐために、ピストンの端面形状を工夫して弁体を弁孔内周面側に押付けるようにしたものが開示されているが、かかる手段を用いても、弁体の動きを規制できるのは当該弁体先端のごく僅かな箇所のみであり、弁体を弁孔内周側に押付ける力は小さいため、前記弁体の振動に起因する異音の発生を十分に防ぐことは困難である。
【０００５】
本発明は、このような事情に鑑み、開弁時における弁体の振動に起因する異音の発生を有効に抑止することができるばね平衡式弁を提供することを目的とする。
【０００６】
【課題を解決するための手段】
前記弁体の振動は、この弁体を支える圧縮コイルばねの径方向への揺動（弾性変形による揺動）を伴いながら弁体が揺れるようにしてなされる。従って、当該圧縮コイルばねの揺動を抑えることにより、これに支えられる弁体の揺動を有効に規制することが可能である。ただし、このような圧縮コイルばねの径方向への揺動を抑制する手段として、例えばばね収容室全体の内径を圧縮コイルばねの外径と全く同等もしくはそれよりも小さくして圧縮コイルばねを拘束するといった構造にすると、当該ばね収容室への圧縮コイルばねの組み込みが事実上困難となり、また仮に組み込みができたとしたところで、前記ばね収容室内で圧縮コイルばねがロックされてしまってその円滑な伸縮変形が妨げられ、作動不良を起こすおそれが生じる。
【０００７】
本発明は、このような観点からなされたものであり、作動流体流通路を有してその開口端に弁座が形成された弁座部材を含む本体部材と、その弁座を開閉する方向に移動可能となるように設けられた弁体と、この弁体の後方に設けられ、前記弁座側に向かって開口するばね収容室を有するばね収容部材と、このばね収容部材のばね収容室内に圧縮変形状態で収容され、その弾発力によって前記弁体を前記閉位置側に押付ける圧縮コイルばねとを備え、前記作動流体の圧力が一定以上のときにその圧力によって前記弁体が前記圧縮コイルばねの弾発力に抗して開くように構成されたばね平衡式弁において、前記弁座部材を含む前記本体部材に前記ばね収容部材が固定され、このばね収容部材における前記ばね収容室内の少なくとも開口側部分に、ばね保持部材が配置され、前記ばね保持部材は、前記ばね収容部材を構成する材料及び圧縮コイルばねを構成する材料よりも弾性係数の低い材料からなり、前記圧縮コイルばねの外周面にその径方向外側から密着することにより当該圧縮コイルばねの前記弁座に対する径方向の移動を規制するものである。
【０００８】
この構成によれば、ばね収容室内に設けられたばね保持部材と圧縮コイルばねとが密着した状態で当該圧縮コイルばねが保持される。すなわち、この圧縮コイルばねの弁座に対する径方向への揺動、ひいては、当該ばねに支えられる弁体の径方向の動きが有効に規制されるので、当該弁体の振動に起因する異音の発生が抑止される。
【０００９】
ここで、前記ばね保持部材を設ける代わりに、その配設箇所と同じ箇所に前記圧縮コイルばねの外径よりも小さい内径を有する小径部をばね収容部材と一体に形成することも可能ではあるが、このばね収容部材は圧力容器であり、その構成材料には一定レベル以上の剛性や強度が要求されるため、このばね収容部材と一体に前記小径部を形成するとなると、当該小径部の内側にその内径よりも外径の大きい圧縮コイルばねを挿通することは極めて困難であり、従ってその組立を可能にするためには相当厳しい精度で小径部の内径を圧縮コイルばねの外径に合致させなければならず、現実的ではない。また、仮にその寸法精度管理及び組立ができたとしても、その小径部の内側面に圧縮コイルばねの外側面が密着することにより当該密着部分で圧縮コイルばねが前記小径部内周面から極めて大きな摺動抵抗を受けることとなり、当該ばねの円滑な伸縮動作は望めなくなる。
【００１０】
これに対し、本発明は前記ばね収容部材に当該ばね収容部材及び圧縮コイルばねの構成材料よりも弾性係数の低い（すなわち弾性に富んだ）材料からなる別部材のばね保持部材が設けられた構成となっているため、当該ばね保持部材の内径がばね収容室の内径より多少小さくても、同部材の弾性変形を利用してその内側に大径の圧縮コイルばねを挿通することが可能であり、また挿通後の状態では、当該ばね保持部材の内周面に圧縮コイルばねの外周面が圧接していても、この圧縮コイルばねの伸縮による軸方向変位に追従して前記ばね保持部材が適宜弾性変形することにより、圧縮コイルばねの円滑な伸縮動作を保証することができる。
【００１１】
すなわち、本発明では、組立の際に不都合を伴うことなく、かつ、圧縮コイルばねの円滑な伸縮動作を確保しながら、その圧縮コイルばねの径方向への揺動に起因する開弁時の弁体の振動を有効に抑止することが可能となっている。
【００１２】
ここで、前記ばね保持部材の具体的な形状や構造は問わず、前記圧縮コイルばねを外側から密着状態でサポートできるものであればよいが、具体的には、前記圧縮コイルばねの外径と同等またはこれよりも小さい内径を有する筒状保持部を有し、この筒状保持部が前記ばね収容室内の少なくとも開口側部分に設けられているものが好適である。この構成によれば、前記圧縮コイルばねを全周にわたって前記筒状保持部の内周面に密着させることにより、同ばねを径方向外側からより安定した状態で保持することができる。また、ばね収容室内へのばね保持部材の組み付けも容易である。
【００１３】
前記各部材の具体的な材質は問わないが、ばね保持部材は、前記のような弾性変形により圧縮コイルばねの円滑な動きを確保できる程度に弾性に富み、かつ、作動流体の圧力に耐え得る程度の強度をもったものが好ましい。具体的には、前記ばね収容部材及び圧縮コイルばねが金属材料で構成され、前記ばね保持部材が合成樹脂材料で構成されているものが好適である。
【００１４】
前記ばね保持部材は例えば当該ばね収容室の軸方向全域にわたって設けられていてもよいが、少なくとも前記ばね収容部材の開口側部分に設けられていれば、前記圧縮コイルばねの径方向への揺動を有効に抑止することが可能である。従って、このばね保持部材を前記ばね収容部材の開口側部分にのみ設けるようにすれば、十分な異音防止効果を保ちながら、ばね保持部材を小型にすることができる。
【００１５】
この場合、前記ばね保持部材に前記ばね収容部材の開口側端面に対して弁座側から当接する当接部が形成されている構成にすれば、弁の使用中にばね保持部材が誤ってばね収容室の奥方へ移動してしまう不都合を確実に防ぐことが可能になる。
【００１６】
本発明にかかるばね平衡式弁の具体的な用途は問わないが、前記弁体がパイロット用弁体であって作動流体の一次側圧力によって開弁するバランスピストン型リリーフ弁に特に好適である。
【００１７】
【発明の実施の形態】
本発明の好ましい実施の形態を図面に基づいて説明する。
【００１８】
図に示す弁は、バランスピストン型リリーフ弁であり、弁本体を構成する本体部材１０，１２を備え、その弁本体に、アンチキャビテーション弁１４、調圧用弁体１５、ピストン１６、パイロット用弁体１８、プラグ（ばね収容部材）１９、及び圧縮コイルばね２０が組み込まれている。
【００１９】
本体部材１０は、前端側（図１では左側）の小径部１０ａ及び後端側（図１では右側）の大径部１０ｂを一体に有する筒状をなし、本体部材１２も前端側の小径部１２ａ及び後端側の大径部１２ｂを一体に有する筒状をなしている。そして、本体部材１０の大径部１０ｂの内周面に形成された雌ねじと本体部材１２の小径部１２ａの外周面に形成された雄ねじとが螺合されるとともに、これら大径部１０ｂと小径部１２ａとの間にシール部材２２が介在している。また、本体部材１０の小径部１０ａの外周面にも雄ねじが形成され、この雄ねじが図１の二点鎖線で示される方向制御弁５０のねじ孔に螺合、装着されるようになっている。
【００２０】
本体部材１２の小径部１２ａからは当該小径部１２ａよりも小径のシート部（弁座部材）１２ｓが前端側に延びており、このシート部１２ｓの中心軸上には小径の弁孔（作動流体流通路）１２ｃが形成されている。すなわち、本体部材１２は弁座部材であるシート部１２ｓを含んだものとなっている。図２に示すように、弁孔１２ｃの後端（図２では右端）開口周縁部はテーパー状に面取りされており、これにより弁座１３が形成されている。また、シート部１２ｓと小径部１２ａとの境界近傍部分には本体部材１２の内外を径方向に連通する連通口１２ｄが穿設されている。
【００２１】
アンチキャビテーション弁１４は、前端側の小径部１４ａと後端側の大径部１４ｂとを一体に有する筒状をなし、その小径部１４ａの内側に作動流体の一次側流路３５を形成する一方、前記本体部材１０の内周面との間に作動流体の二次側流路３６を形成している。
【００２２】
大径部１４ｂの後端部は、前記シート部１２ｓの外側に当該シート部１２ｓに対して軸方向に相対移動可能となるように嵌合されており、これら大径部１４ｂとシート部１２ｓとの間にはシール部材２４が介在している。大径部１４ｂの前側よりの部分にはこれを径方向に貫通する作動流体の流通口１４ｃが穿設されている。また、小径部１４ａの前端面はテーパー状に形成され、前記方向制御弁５０内のポンプポート（一次側ポート）Ｐとタンクポート（二次側ポート）とを区画するシール面１４ｆとなっている。
【００２３】
調圧用弁体１５は、筒状をなし、前記アンチキャビテーション弁１４の大径部１４ｂ内において前記シート部１２ｓよりも前方の位置に軸方向に移動可能に収容されており、この調圧用弁体１５とシート部１２ｓとの間に背圧室２６が形成されている。また、前記調圧用弁体１５の外周面と大径部１４ｂの内周面との間にはシール部材２３が介在している。
【００２４】
調圧用弁体１５の前端外周部にはテーパー面１５ｄが形成される一方、前記大径部１４ｂにおいてその流通口１４ｃよりも前側の部分は後側の部分よりも内径が小さく、その段差によって弁座１４ｄが形成されており、この弁座１４ｄに対して前記調圧用弁体１５のテーパー面１５ｄが後方から突き当たった状態で前記流通口１４ｃが調圧用弁体１５により塞がれる一方、前記弁座１４ｄから前記テーパー面１５ｄが後方に離れることにより前記流通口１４ｃが開かれるようになっている。
【００２５】
ピストン１６は、その前端側から順に、本体筒部１６ａ、鍔部１６ｂ、およびポペット押圧軸部１６ｃを一体に有し、本体筒部１６ａの中心軸上には前方に開口する受圧室１６ｄが形成されており、この受圧室１６ｄの奥側には当該受圧室１６ｄと外側の背圧室２６とを連通する絞り孔１６ｅが穿設されている。
【００２６】
前記調圧用弁体１５の前側部分は後側部分よりも内径が小さく、その前側部分に前記ピストン１６の本体筒部１６ａがほぼ隙間なく嵌挿されるとともに、当該前側部分の内側面と後側部分の内側面との境界に形成された段部１５ａとピストン１６の鍔部１６ｂとの間に圧縮コイルばねからなる調整ばね２８が介在している。一方、ポペット押圧軸部１６ｃは前記シート部１２ｓの弁孔１２ｃ内に嵌入されており、この弁孔１２ｃの内周面とポペット押圧軸部１６ｃの外周面との間に軸方向の作動流体流通路が確保されている。
【００２７】
パイロット用弁体１８は、前方に向かうに従って縮径する略キノコ状のポペット１８ａと、このポペット１８ａの中心部から後方に延びる軸部１８ｂを一体に有し、前記ポペット１８ａの外周面は前記シート部１２ｓの弁座１３に接触可能な形状を有している。
【００２８】
ばね収容部材であるプラグ１９は、前記シート部１２ｓを含む本体部材１２の大径部１２ｂ内にその後端開口から挿入され、固定されている。詳しくは、プラグ１９の中間部外周面に形成された雄ねじが前記大径部１２ｂの後端開口内周面に形成された雌ねじに螺合され、かつ、前記雄ねじに螺合されたナット３２によってプラグ１９の挿入深さ位置が固定されている。その挿入深さによって、後述のパイロットばね２０の弾発力が調整可能となっている。また、プラグ１９の前部外周面と本体部材小径部１２ａの内周面との間にはシール部材３０が介在している。
【００２９】
プラグ１９は、前方に開口するばね収容室３４を有し、このばね収容室３４と前記本体部材１２の内側空間とで弁室が形成されるとともに、前記ばね収容室３４内に記パイロットばね２０が収容されている。このパイロットばね２０は、前記パイロット用弁体１８の軸部１８ｂの外側に嵌められた状態で、当該弁体１８のポペット部１８ａの後端面とばね収容室３４の奥端面（後端面）との間に圧縮状態で介在しており、その弾発力によってパイロット用弁体１８が前向きに付勢され、そのポペット部１８ａの円錐面が弁座１３に押付けられることにより閉弁状態が保たれるようになっている。
【００３０】
基本的に、ばね収容室３４の内径は、パイロットばね２０の外径よりも大きく設定されているが、ばね収容室３４の奥端部３４ａのみ、その内径が前記パイロットばね２０の外径と略同等に設定され、この奥端部３４ａ内に前記パイロットばね２０の後端が嵌入、固定されている。
【００３１】
さらに、この弁の特徴として、前記プラグ１９の前端側部分には、図２にも示すようなばね保持部材４０が設けられている。
【００３２】
このばね保持部材４０は、ばね収容室３４の前端開口側部分の内側に挿入される筒状保持部４１と、この筒状保持部４１の前端から径方向外側に突出する鍔部（当接部）４２とを一体に有し、この鍔部４２が前記プラグ１９の前端面に前側から当たる深さまで前記筒状保持部４１がばね収容室３４内に挿入されている。鍔部４２は、ばね保持部材４０が弁使用中に誤ってばね収容室３４内の奥方へ入り込んでしまうのを防止するためのものであり、その防止効果は、鍔部４２に限らず、例えば周方向の一部にのみ当接部を設けることによっても得ることが可能である。
【００３３】
前記ばね保持部材４０を構成する材料は、ばね収容部材であるプラグ１９の構成材料及びパイロットばね２０の構成材料よりも弾性係数の低いものであればよく、また、作動流体の圧力によって著しい変形や破損等を生じない程度の剛性を有するものがよい。具体的に、プラグ１９の材質としてはステンレス鋼等の金属材料が、パイロットばね２０の材質としてはばね鋼等の金属材料が、プラグ１９の材質としては合成樹脂が好適である。その合成樹脂としては、比較的硬質の樹脂（例えばフッ素樹脂等）がより好ましい。また、このような合成樹脂以外でも、十分な耐久性を確保できるのであれば硬質ゴムなどの適用も可能である。
【００３４】
ばね保持部材４０における筒状保持部４１の内径ｄ（図２）は、パイロット用ばね２０の外径と同等またはそれよりも小さく設定されている。従って、この筒状保持部４１の内周面に前記パイロットばね２０の外周面が接触する状態で同ばねがばね収容室３４内に収容されている。
【００３５】
筒状保持部４１の外径は前記ばね収容室３４の内径とほぼ等しければよいが、当該筒状保持部４１の外径をばね収容室３４の内径よりも僅かに大きくし、当該筒状保持部４１をばね収容室３４の内側に圧入するようにすれば、プラグ１９に対してばね保持部材４０を簡単に固定することができる。
【００３６】
筒状保持部４１の軸長は、適宜設定が可能であるが、少なくともばね収容室３４の前端開口側部分で圧縮コイルばねの横方向の撓みを規制できる領域に筒状保持部４１が存在していればよい。
【００３７】
次に、この弁の作用を説明する。
【００３８】
まず、使用にあたり、本体部材１０の前側小径部１０ａがシール部材３８を挟んで方向制御弁５０のねじ孔にねじ込まれ、固定される。
【００３９】
一方、方向切換弁５０においては、互いに交差するポンプポートＰ及びタンクポートＴが形成されており、前記前側小径部１０ａの挿入によって、その内側のアンチキャビテーション弁１４の一次側通路３５が前記ポンプポートＰに連通し、二次側通路３６がタンクポートＴに連通する。
【００４０】
この状態でタンクポートＰに作動流体が導入されると、その圧力がアンチキャビテーション弁１４の小径部１４ａと大径部１４ｂとの境界の段部１４ｅに対して前向きに作用することにより、前記小径部１４ａの前端のシール部１４ｆが前記両ポートＰ，Ｔの交差部に形成されたテーパー状の弁座５２に着座し、両ポートＰ，Ｔを区画する。
【００４１】
ここで、前記一次側通路３５への作動流体の導入圧（一次圧）が一定圧以下であるときには、パイロットばね２０の弾発力によってパイロット用弁体１８のポペット部１８ａが弁座１３に押付けられ、このポペット部１８ａの前端がピストン１６のポペット押圧軸部１６ｃを前側へ押し、その前向き押圧力が調整用ばね２８を介して調圧用弁体１５に伝えられることにより、同弁体１５は閉弁位置、すなわち、そのテーパー面１５ｄがアンチキャビテーション弁１４の弁座１４ｄに前向きに押付けられる位置に保持される。従って、この状態で連通口１４ｃは閉じており、一次側通路３５と二次側通路３６との間は遮断されている。
【００４２】
なお、キャビテーションの発生により一次圧が二次圧よりも低くなった場合には、前記と逆にキャビテーション弁１４の段部１４ｅの外側面に対して二次圧が後ろ向きに作用することによりアンチキャビテーション弁１４が後退し、そのシール面１４ｆが弁座５２から離れて両ポートＰ，Ｔが直接連通されることにより、キャビテーションの継続が阻止される。
【００４３】
一方、前記一次圧が一定圧を上回ると、次のようなリリーフ動作が行われる。すなわち、前記一次圧を受けているピストン１６のポペット押圧軸部１６ｃがパイロット用弁体１８をパイロットばね２０の弾発力に抗して後方へ押し返し、これにより前記パイロット用弁体１８のポペット部１８ａが弁座１３から離れる（パイロット用弁体１８の開弁）。これにより、背圧室２６内の作動流体が弁孔１２ｃとポペット押圧軸部１６ｃとの間の流路を通じて本体部材１２内の弁室に流出し、さらに連通口１２ｄを通じて二次側通路３６に逃がされる。
【００４４】
この流出により、背圧室２６の圧力が低下して前記一次圧との差圧がさらに大きくなるため、当該一次圧を前端面に受けている調圧用弁体１５が背圧室２６側へ後退してそのテーパー面１５ｄが弁座１４ｄから離れる（調圧用弁体１５の開弁）。この開弁で、一次側通路３５の作動流体は連通口１４ｃから直通で二次側通路３６に逃がされ、これにより一次圧の過剰な上昇が防がれる。
【００４５】
この開弁時において、パイロット用弁体１８のポペット部１８ａは弁座１３から離れており、当該弁座１３から拘束を受けない不安定な状態にある（図２の二点鎖線参照）。ここで従来は、ばね保持部材４０がなく、かつ、パイロットばね２０とばね収容室３４の内側面との間に隙間があったので、その隙間によって許容されるパイロットばね２０の径方向への揺動を伴ってパイロット用弁体１８が径方向に揺れながら振動しやすく、その振動に起因して著しい異音が発生するおそれがあったが、図示の弁では、ばね収容室３４の前端開口側部分に設けられたばね保持部材４０とパイロットばね２０とが密着した状態で当該ばね２０が保持されているので、前記パイロットばね２０の前記弁座１３に対する径方向への揺動、ひいては、当該ばね２０に支えられるパイロット用弁体１８の径方向の動きを有効に規制することができ、当該弁体の振動に起因する異音の発生を抑止することができる。
【００４６】
しかも、前記ばね保持部材４０は、ばね収容部材であるプラグ１９とは別部材としているので、当該プラグ１９やパイロットばね２０には十分な強度をもつ材料（一般には金属材料）を用いながら、前記ばね保持部材４０をより弾性係数の低い材料（例えば合成樹脂）で構成することにより、このばね保持部材４０の内径がばね収容室３４の内径より多少小さくても、同部材の弾性変形を利用してその内側に大径のパイロットばね２０を挿通することが可能であり、寸法精度の管理は容易となる。また、挿通後の状態においても、パイロットばね２０の伸縮による軸方向変位に追従して前記ばね保持部材４０が適宜弾性変形することによって、パイロットばね２０の円滑な伸縮動作を保証することができる。従って、ばね保持部材４０の寸法管理は非常に容易となる。
【００４７】
なお、ばね保持部材の具体的な形状や構造は図示のものに限られず、基本的に圧縮コイルばねをその外側から支えて同ばねの撓みを規制できるものであればよい。例えば、短冊状の複数枚の弾性片を周方向に間欠的に並べた状態でばね収容室の開口側内周面に例えば接着によって固定し、これらの弾性片の内側面にそれぞれ前記圧縮コイルばね（図例ではパイロットばね２０）の外周面が接触するようにしてもよい。
【００４８】
一方、弁体の具体的な形状も図示のようなポペット状に限られず、例えば剛球からなる弁体を圧縮コイルばねの前端側開口に嵌め込んだ弁についても適用が可能である。
【００４９】
また本発明は、前記のようなバランスピストン型リリーフ弁に限らず、その他のばね平衡式弁、例えば減圧弁や逆止弁にも適用が可能である。
【００５０】
【発明の効果】
以上のように本発明は、弁座が形成された弁座部材を含む本体部材にばね収容部材が固定され、このばね収容部材のばね収容室に収容される圧縮コイルばねの弾発力で弁体が弁座に押付けられるばね平衡式弁において、前記ばね収容室の少なくとも開口側部分に前記ばね収容部材及び圧縮コイルばねよりも弾性係数の低いばね保持部材が設けられ、このばね保持部材の内周面と圧縮コイルばねとが接触する状態で当該ばねが保持されて前記弁座に対する径方向の移動が規制されるようにしたものであるので、圧縮コイルばねの円滑な伸縮動作を確保しながら、開弁時における弁体の振動に起因する異音の発生を有効に抑止することができる効果がある。
【図面の簡単な説明】
【図１】本発明の実施の形態にかかるバランスピストン型リリーフ弁の断面正面図である。
【図２】前記リリーフ弁の要部を示す断面正面図である。
【符号の説明】
１０  本体部材
１２  シート部を含む本体部材
１２ｓ  シート部（弁座部材）
１３  弁座
１８  パイロット用弁体
１９  プラグ（ばね収容部材）
２０  パイロットばね（圧縮コイルばね）
３４  ばね収容室
３５  一次側通路
３６  二次側通路
４０  ばね保持部材
４１  筒状保持部
４２  鍔部（当接部）
【図１】
0003740028.tif 000002
【図２】
0003740028.tif 000003